(57)【要約】【課題】中の商品が邪魔になることなく、展示状態に組み立てることができるようにした包装展示兼用カートンを提供する。【解決手段】前板３、一対の側板２及び後板１により周壁が形成され、その両側板２に切目線１２が設けられ、切目線１２の切断に伴いカートン上部を除去して商品を展示するようにした包装展示兼用カートンであって、カートン下部側の両側板２における上部に、内側に折り曲げることによってカートン内部に仕切を形成する仕切片が区画されている。カートン上部を除去する前か後で、仕切片１７を押し込むことによってカートン内部に仕切が設けられるので、カートン上部を除去した展示状態において商品は仕切片１７により前倒れが防止される。仕切片１７の押込み時に、縦向きに並んだ商品とカートン側壁の隙間を通って折り曲げられ、中に商品が入っていても邪魔になることなく展示状態に組み立てることができる。【選択図】図１
2009241958.tif 000002
【特許請求の範囲】
【請求項１】
前板、一対の側板及び後板により周壁が形成され、その両側板に切目線が設けられ、切目線の切断に伴いカートン上部を除去して商品を展示するようにした包装展示兼用カートンであって、カートン下部側の両側板における上部に、内側に折り曲げることによってカートン内部に仕切を形成する仕切片が区画されていることを特徴とする包装展示兼用カートン。
【請求項２】
仕切片を折り曲げるヒンジとなる罫線は仕切片の前板側に設けられていることを特徴とする請求項１に記載の包装展示兼用カートン。
【発明の詳細な説明】
【技術分野】
【０００１】
本発明は、板紙で作成されるカートンの技術分野に属し、詳しくは、商品を保管・搬送するために用いられ、開封後は中の商品を展示するために用いられる包装展示兼用カートンに関する。
【背景技術】
【０００２】
一般に、個包装された複数の商品を収納する板紙製のカートンは、スーパーやコンビニエンスストアなどの店頭まで商品の運搬に使用されるが、商品が取り出されて棚に並べられた後はそのままゴミとして捨てられている。一方、開封後に商品をカートンに入れたままで陳列して展示するタイプの包装展示兼用カートンも利用されている。
【０００３】
このような包装展示兼用カートンとして、スティック包装や薄物パウチなどの偏平細長状の商品を複数立てて陳列するタイプとして特許文献１に記載のものがある。これは、前板、一対の側板及び後板により周壁が形成され、その両側板に切目線が設けられ、切目線の切断に伴いカートン上部を除去して商品を展示するようにしたカートンにおいて、両側板に折目線を基端とする折込片を設けた構成としたものである。そして、商品の展示状態でこの折込片を内側に折り込むことで、折込片が反発して商品を押圧するようにし、それによって商品が少なくなったときに倒れるのを防止するようにしている。さらに、切目線を蛇行させることで、折込片の先端縁を波形状とし、その波形状のところに引っ掛かることで商品の転倒をより確実に防止している。
【０００４】
【特許文献１】特開２００１−３５４２３７号公報
【発明の開示】
【発明が解決しようとする課題】
【０００５】
上記した包装展示兼用カートンは、周壁の上部を除去した部位に折込片を設けたことにより、その折込片の押圧によって商品の転倒が防止されるので、整然とした展示ができるという利点がある。しかしながら、商品を両サイドの折込片で保持するためには、これらの折込片をそれぞれ９０度以上内側に無理矢理折り込む必要があることから、中の商品が邪魔になって組み立てにくいという問題がある。したがって、収納する商品の幅よりも広いスペースを取らなければならず、空間率の高いカートンにならざるを得ない欠点を持っている。商品を一旦取り出して折込片を内側に折り曲げることも考えられるが、取り出した商品をまた入れなければならず、店頭ではとても面倒なことで実際的ではない。
【０００６】
本発明は、このような問題点に鑑みてなされたものであり、その目的とするところは、中の商品が邪魔になることなく、展示状態に組み立てることができるようにした包装展示兼用カートンを提供することにある。
【課題を解決するための手段】
【０００７】
上記の目的を達成するため、本発明は、前板、一対の側板及び後板により周壁が形成され、その両側板に切目線が設けられ、切目線の切断に伴いカートン上部を除去して商品を展示するようにした包装展示兼用カートンであって、カートン下部側の両側板における上部に、内側に折り曲げることによってカートン内部に仕切を形成する仕切片が区画されていることを特徴としている。
【０００８】
この構成からなる包装展示兼用カートンにおいて、仕切片を折り曲げるヒンジとなる罫線は仕切片の前板側に設けられていることが望ましい。
【発明の効果】
【０００９】
本発明の包装展示兼用カートンは、カートン上部を除去する前か後で、仕切片を押し込むことによってカートン内部に仕切が設けられるので、カートン上部を除去した展示状態において商品は仕切片により前倒れが防止される。仕切片は、その押込み時に、縦向きに並んだ商品とカートン側壁の隙間を通って折り曲げられ、中に商品が入っていても移動しやすいので邪魔になることなく展示状態に組み立てることができる。したがって、空間率の高いカートンにする必要がなく、カートンブランクも小さくて済む。
【００１０】
そして、仕切片のヒンジとなる罫線が仕切片の前板側に設けられることで、仕切片には板紙を曲げたときの反発力によって商品を後方向へ押しやる力が生じ、前倒れ防止がより効果的になる。
【発明を実施するための最良の形態】
【００１１】
次に、本発明の実施の形態について図面を参照しながら詳細に説明する。
【００１２】
図１は本発明に係る包装展示兼用カートンの一例を示す斜視図、図２は図１に示す包装展示兼用カートンを組み立てるブランクの展開図である。
【００１３】
図２のブランクは、板紙を打ち抜いて形成されたもので、図示のように、後板１、側板２、前板３、側板２、糊代片４がこの順で横方向に連設されている。また、後板１と前板３の下辺にはそれぞれ底片５が、両側板２の下辺にはそれぞれ底板６が連設され、後板１と前板３の上辺にはそれぞれ折込板７が、一方の側板２の上辺には蓋板８が連設されており、蓋板８の先端には差込片９が連設されている。
【００１４】
このブランクには、後板１を横断するとともに両方の側板２に繋がり、各側板２では前下がりに伸びる帯状のジッパー１０が設けられている。側板２でのジッパー１０は、連続したＹ字状の切込が連続した上側の切目線１１と、破断方向後側が内向きに曲がった形状の切込が連続した下側の切目線１２とで構成されており、後板１でのジッパー１０は、Ｔ字が向き合った形状の摘み用切込１３を中央に有しており、この切込１３を取っ掛かりとしてジッパー１０の破断除去を開始することができるようになっている。また、前板３にはジッパー１０下側の切目線１２に繋がる切目線１４が横断状態で設けられ、糊代片４にはジッパー１０上下の切目線１１，１２にそれぞれ繋がる切目線１５，１６が横断状態で設けられている。
【００１５】
側板２には、ジッパー１０下側の切目線１２に隣接して、それぞれに２つの仕切片１７が区画されている。この仕切片１７は、切目線１２と２本の半切罫線ａ，ｂとで囲まれる三角状の折曲基部１７ａと、切目線１２と半切罫線ｂとＬ字状の切目線ｃとで囲まれる平行四辺形状の折曲先端部１７ｂとからなり、指先で押し込むと、切目線ｃのツナギが破断されて半切罫線ａところをヒンジとして、半切罫線ｂのところを中間のヒンジとして内側に折れ曲がるようになっている。
【００１６】
図２のブランクを組み立てて図１に示す包装展示兼用カートンを形成するが、その手順は通常のカートンと同様である。まず、底板６の折返し部６ａをそれぞれ底片５に貼り合わせるとともに、糊代片４を前板１に貼り合わせたサック貼り状態で折り畳む。そして、この折り畳んだブランクを起こすと、底板６の部分がオートロックされてカートンの底部が形成される。このように起函してから、個包装された複数個の商品を中に入れ、折込板７を折り込んでから、差込み片９をもう一方の側板２の内側面に差し込んで蓋板８を閉じることで組立を完了する。
【００１７】
図１の包装展示兼用カートンは、店頭等において開封してカートン上部を除去し、図３に示すように、中の商品Ｓが見える状態にして展示する。ここでは、６個の商品Ｓのうち後方の２個を図示している。このカートンの開封に際しては、ジッパー１０を破断除去する。具体的には、後板１におけるＴ字が向き合った形状の切込１３のところを取っ掛かりとして破断を始め、そのまま側板２における上下の切目線１１，１２を破断し、最後は前板３の切目線１４を破断することで、ジッパー１０とともにカートン上部を除去する。
【００１８】
このようにカートン上部を除去すると、切目線１２から上部が除去されることにより、カートンは図４に示すように、残ったカートン下部にジッパー１０の破断でギザギザとなった端縁が現れ、その一部に２つの仕切片１７が前後に並んで露出する。そして、図５に示すように、仕切片１７を内側に曲げるようにして指先で押し込むと、切目線ｃのツナギが破断されて半切罫線ａ，ｂのところで内側に折れ曲がり、その押し込んだ仕切片１７によって内部に仕切が形成される。
【００１９】
商品Ｓは、カートン内部に突き出た仕切片１７により左右から支持され、図３に示す如き展示状態において前倒れが防止される。この仕切片１７の押込み操作に際しては、縦向きに並んだ商品Ｓと側板２の隙間を通って折り曲げられるので、中に商品が入ったままでも商品の動きがあるのでそれほど邪魔になることはない。なお、カートン上部を除去してから仕切片１７を押し込むようにするのに限らず、カートン上部を除去する前に押し込むようにしても構わない。
【００２０】
また、この包装展示兼用カートンでは、仕切片１７の前板３側にある半切罫線ａが仕切片１７を曲げるときのヒンジとなるので、仕切片１７には板紙を曲げたときの反発力によって商品を後方向へ押しやる力が生じており、ヒンジとなる罫線を後板１側に設けるよりも前倒れ防止効果が大きい。
【００２１】
以上、本発明の実施の形態について詳細に説明してきたが、本発明による包装展示兼用カートンは、上記実施の形態に何ら限定されるものではなく、本発明の趣旨を逸脱しない範囲において種々の変更が可能であることは当然のことである。
【００２２】
例えば、上記の例では、カートンの開封手段をジッパーとしたが、要はカートンの上部と下部が分離されて、残ったカートン下部に仕切片１７が露出しさえすれば、どのような開封手段でも構わない。
【００２３】
また、上記の例では、ジッパーは後板から前板にかけて前下がりとしたが、水平もしくはそれに近い傾斜にしても構わない。要望に応じて適宜決めればよいことである。
【図面の簡単な説明】
【００２４】
【図１】本発明に係る包装展示兼用カートンの一例を示す斜視図である。
【図２】図１に示す包装展示兼用カートンを組み立てるブランクの展開図である。
【図３】図１に示す包装展示兼用カートンを展示状態で示す斜視図である。
【図４】図１に示す包装展示兼用カートンのカートン上部を除去した箱下部を示す斜視図である。
【図５】図４に示すカートン下部の仕切片を内側に押し込んだ状態を示す斜視図である。
【符号の説明】
【００２５】
１  後板
２  側板
３  前板
４  糊代片
５  底片
６  底板
７  折込板
８  蓋板
９  差込板
１０  ジッパー
１１，１２  切目線
１３  切込
１４，１５，１６  切目線
１７  仕切片
【図１】
2009241958.tif 000003
【図２】
2009241958.tif 000004
【図３】
2009241958.tif 000005
【図４】
2009241958.tif 000006
【図５】
2009241958.tif 000007